(57)【要約】【課題】  トラクタに作業機を連結する装着装置において、作業機を容易に装着及び取り外しが可能で、作業時の作業姿勢や移動姿勢を不都合なく確保できる装置を提供する。【解決手段】  トラクタに連結する連結枠２と、トラクタに装着する作業機に設けた連結枠２と係合するマストフレーム３とを設け、マストフレーム３は、下方を支点に上方が前後に回動可能に設けられていて、上方は伸縮自在なサポートロッド４により作業機フレーム７０と連結されるとともに、作業機７側とトラクタ側を着脱自在に連結する牽制アーム８を設けた作業機の連結装置を提供する。【選択図】      図２
2008079508.tif 000002
【特許請求の範囲】
【請求項１】
トラクタに連結する連結枠と、トラクタに装着する作業機に設けた前記連結枠と係合するマストフレームとを設け、該マストフレームは、作業機フレームに対し下方左右両側を支点に上方が前後に回動可能に設けられていて、前記マストフレーム上方は、マストフレームの前後回動範囲を一定範囲に規制するための長さ方向に伸縮自在なサポートロッドにより前記作業機フレームと連結されるとともに、装着する作業機とトラクタ本体側を着脱自在に連結した牽制アームを設けたことを特徴とする作業機の連結装置。
【請求項２】
前記連結枠と前記マストフレームの係合は、上部中央係合部と、下部左右２箇所の係合部により係合し、該係合部の着脱によりトラクタ側と作業機側の着脱が可能で、前記連結枠とトラクタ側との連結は、トラクタ側の２点ヒッチ用係合受け部材に対応する連結枠前方左右一対の係合部と連結するとともに、トラクタの昇降アームに連結されたリフトロッドと回動自在に連結され、前記昇降アームの上下回動によりトラクタ側の２点ヒッチ用係合受け部材を中心に連結枠後方が昇降可能に構成されたことを特徴とする請求項１記載の作業機の連結装置。
【発明の詳細な説明】
【技術分野】
【０００１】
本発明は、作業機をトラクタに連結するための連結装置に関する。
【背景技術】
【０００２】
この種の従来技術として、同一出願人による特開２００１−１４６１８１号公報（特許文献１）に記載される「トラクタに装着する２点ヒッチ用連結装置」が開示されている。これは、トラクタのロータリ作業機を直装する２点ヒッチ装置において、従来の３点リンクヒッチを有した作業機を容易に装着可能とするための構成を特徴とするものである。
【特許文献１】特開２００１−１４６１８１号公報
【発明の開示】
【発明が解決しようとする課題】
【０００３】
２点ヒッチ用装着装置は、小型のトラクタに多く採用されていて、作業機を上昇させた時の地上高を大きくとる為に、側面視作業機を円弧状に昇降させるように位置関係が構成されている。このため、前記特許文献１に示される連結装置で装着する場合、作業機によっては上昇させた時に作業機の上方部が大きく前方に回動してトラクタ後方部に干渉し、作業機やトラクタの双方を破損する等の事故が発生する場合があった。また、作業機によっては上昇させた時の干渉を回避しようとすると、作業時の作業姿勢が確保できないという問題が発生する場合があった。
【０００４】
このため、本発明の目的は、トラクタに作業機を連結する装着装置において、作業機を容易に装着及び取り外しが可能で、作業機の作業姿勢や移動時姿勢が容易に確保できる構成を提供することにある。
【課題を解決するための手段】
【０００５】
上記課題を解決するために、トラクタに連結する連結枠と、トラクタに装着する作業機に設けた前記連結枠と係合するマストフレームとを設け、該マストフレームは、作業機フレームに対し下方左右両側を支点に上方が前後に回動可能に設けられていて、前記マストフレーム上方は、マストフレームの前後回動範囲を一定範囲に規制するための長さ方向に伸縮自在なサポートロッドにより前記作業機フレームと連結されるとともに、装着する作業機とトラクタ本体側を着脱自在に連結した牽制アームを設けたことを特徴とする作業機の連結装置を提供する。
【０００６】
また、前記連結枠と前記マストフレームの係合は、上部中央係合部と、下部左右２箇所の係合部により係合し、該係合部の着脱によりトラクタ側と作業機側の着脱が可能で、前記連結枠とトラクタ側との連結は、トラクタ側の２点ヒッチ用係合受け部材に対応する連結枠前方左右一対の係合部と連結するとともに、トラクタの昇降アームに連結されたリフトロッドと回動自在に連結され、前記昇降アームの上下回動によりトラクタ側の２点ヒッチ用係合受け部材を中心に連結枠後方が昇降可能に構成されたことを特徴とする０００５欄記載の作業機の連結装置を提供する。
【発明の効果】
【０００７】
以上のような構成にすることで、マストフレームは作業機フレームに対し下方左右両側を支点に上方が前後に回動可能に設けられていて、マストフレーム上方は、マストフレームの前後回動範囲を一定範囲に規制するための長さ方向に伸縮自在なサポートロッドにより作業機フレームと連結されるとともに、作業機側とトラクタ側を着脱自在に連結する牽制アームを設けたことで、作業機がトラクタ側に回動されることが抑制され平行状に昇降するため、トラクタ後方との干渉を避けることが可能であるとともに、作業姿勢を容易に確保できる。
【０００８】
また、作業機の脱着時に、マストフレーム上方がマストフレームの前後回動範囲を一定範囲に規制するための長さ方向に伸縮自在なサポートロッドにより作業機フレームと連結されていることで、前後に回動するマストフレームをサポートロッドが保持するため、脱着係合部位置が保持され作業機の脱着作業が容易に行える。
【発明を実施するための最良の形態】
【０００９】
以下、本発明の一実施形態の構成を図面を参照して説明する。図１は本発明を実施した連結装置の連結前の側面図、図２は同連結装置により作業機を連結した作業姿勢状態の側面図、図３は連結装置を連結した状態の連結部の平面図、図４は本発明の連結装置を装着し作業機を上昇させた状態の側面図、図５は連結装置の別実施例を示した側面図、図６は従来のロータリ作業機を２点ヒッチ用装着装置に装着した側面図、図７は従来の連結装置で作業機を上昇させた場合の側面図を示したものである。
【００１０】
トラクタ後部１には、２点ヒッチ用係合受け部材であるＵ字金具１２と、該Ｕ字金具１２に係合する連結ピン２０を固定する固定ピン１３と、連結される作業機を昇降させるための昇降アーム１０及びこれにリフトアッパーピン１１１で連結されたリフトロッド１１が装備されている。
【００１１】
作業機の連結装置９は、トラクタ側に装着される連結枠２と、作業機７側に装着されるマストフレーム３及びこれを支えるサポートロッド４と、トラクタ側と作業機７側を着脱自在に連結する牽制アーム８により構成されている。
【００１２】
連結枠２のトラクタ側への装着は、連結枠２前方左右に設けた水平方向の固定ピン１３を、トラクタ後部１のＵ字金具１２に係合させ、固定ピン１３を左右Ｕ字金具１２に設けた垂直方向のストッパ穴に差し込んで連結枠２を上下回動自在に連結させるとともに、トラクタ側の昇降アーム１０にリフトアッパーピン１１１で連結されたリフトロッド１１の他端を連結枠２の後方部に設けた水平方向のリフトロアピン１１２に連結している。該構成により、昇降アーム１０をトラクタ側の操作によって上下に回動させることで、装着された前記連結枠２の後方が上下に回動する。
【００１３】
連結枠２後方には、作業機７側に装着されたマストフレーム３との係合部が設けてあり、左右方向中央部上方にはマストフレーム３側のトップフックピン３０と係合するための凹状のトップフック２１が設けてあり、トップフック２１下方左右には、マストフレーム３のロアフックピン３１と係合するための凹状のロアフック２２が設けてある。上部中央係合部であるトップフック２１とトップフックピン３０を係合させ、連結枠２を回動上昇させると、下部左右２箇所の係合部であるマストフレーム３のロアフックピン３１が連結枠２のロアフック２２側に引き寄せられ係合する。該係合部には外れ防止用のフックが掛け外し自在に設けてある。前記上下係合部の着脱によりトラクタ側と作業機側の着脱が可能である。前記係合部の形状は、ピン側が連結枠２で凹状フックがマストフレーム側に本例とは逆に設けられていてもよい。
【００１４】
マストフレーム３は、前記ロアフックピン３１が設けられた下方部が、作業機７の作業機フレーム７０に水平方向に設けた作業機回動軸７１により回動自在に取付けられていて、前記トップフックピン３０が設けられた上方部が前後に回動可能に構成されている。
【００１５】
また、マストフレーム３上方は、サポートロッド４により作業機フレーム７０と連結されていて、サポートロッド４は長さ方向に伸縮自在で、伸縮量の範囲でマストフレーム３の前後方向の回動量を規制している。サポートロッド４は、インナー軸４０と該インナー軸４０が挿入されたアウターパイプ４１で構成され、アウターパイプ４１の軸方向に設けた長孔４１１にインナー軸４０を貫通して設けたストッパーピン４０１を係合させ、長孔４１１の長さの範囲において伸縮が自由となるように構成されている。
【００１６】
サポートロッド４の一方は、マストフレーム３に水平方向のマストロッドピン５により回動自在に取付けられ、他端は作業機フレーム７０に水平方向の作業機ロッドピン６により取付けられている。連結枠２とマストフレーム３の係合連結が解除された状態では、マストフレーム３が自重によりサポートロッド４を伸長させ前傾した姿勢となるように各回動部が配置されていて、連結枠２とマストフレーム３の脱着時には、前記トップフックピン３０とトップフック２１が最初に係合しやすいように構成されている。
【００１７】
また、脱着時の作業機７の姿勢を保持するスタンド７３は、本例においては左右に一対設けてあり、底面にキャスター７４を設けて格納時等の移動に使用する。作業機７に設けたＵ字状のスタンドホルダー７５部分にスタンド７３を係合させ固定ピン７６を差し込んで固定する。作業時には、固定ピン７６を抜くことでスタンド７３を作業機フレーム７０より取り外して作業する。
【００１８】
マストフレーム３の中央下方には、入力軸７２が設けてあり、トラクタ後部に設けられたＰＴＯ軸１４と図示していないユニバーサルジョイントで連結し、トラクタの動力が作業機に伝達され駆動される。
【００１９】
連結枠２とマストフレーム３の連結後、トラクタ側の昇降アーム１０端部のリフトアッパーピン１１１の一方と作業機７側の作業機ロッドピン６とを牽制アーム８により両端回動自在に連結する。該牽制アーム８を連結することで、作業機７を昇降させたときマストフレーム３が連結枠２と一体に円弧状に昇降するのに対し、作業機７側は、マストフレーム３に対して前記作業機回動軸７１を支点に前後に回動しながら昇降する。このため作業機７は図４に示すように略平行状に昇降し、作業機７がトラクタ側に前傾した姿勢とならず、作業機とトラクタとの干渉を回避できる。
【００２０】
図５の別実施例の牽制アーム８０は、作業機ロッドピン６とトラクタ本体後部に直接回動自在に連結したもので、昇降させた時に作業機側とトラクタ側に掛渡して連結した牽制アーム８０の作用により、作業機７が平行状に昇降できるように寸法設定されている。この様にトラクタ側の連結部は作業機が平行状に昇降し、取り外しがやり易い位置に任意に設定すると良い。
【００２１】
本実施例における作業機７は、肥料散布機を示したもので、上方に肥料を投入するホッパー７０１を有し、ホッパー７０１底部分には肥料の落下量を調節するシャッターが設けてあり、落下した肥料を回転する円板状のスピンナー７０２で拡散散布する構造のものである。散布作業時は、前記スピンナー７０２を略水平に、また一定の高さに保持することで散布幅や散布量が規定量確保されるように構成されている。このため、従来の連結装置で作業機を装着し作業姿勢を設定すると、移動時等に作業機を上昇させた時、図７に示すように作業機がトラクタ側に食い込み双方を破損する事故に至る等の不都合があった。逆に上昇させた時の干渉を回避しようとすると、作業時の作業姿勢が確保できないという問題が発生する。
【００２２】
図６は、２点ヒッチ用装着装置に従来のロータリ砕土装置を装着した一般的な状態を示したもので、作業機を上昇させた時の地上高を大きくとる為に、側面視作業機を円弧状に昇降させるように位置関係が構成されていて、トラクタ側のＵ字金具１２に直接ロータリ作業機Ａを取付けるとともに、リフトロッド１１を同じく直接連結している。このため、上下方向に回動して作業姿勢が変化しても作業に影響しない作業機や上方に空間を確保できる作業機は不都合が生じないが、前記のような肥料散布機のように、前後に回動することで作業姿勢が変化し不都合が生ずる作業機には採用できない。このため、平行状に昇降する本発明の連結装置が必要となるとともに、本発明の連結装置により作業機の着脱作業が容易に行える。
【００２３】
トラクタ側に装着した連結枠２に対し、各作業用のそれぞれの作業機のマストフレーム３を前記連結枠２に着脱可能に設けることにより、連結枠２を取り外さずに各作業機を容易に着脱可能となる。
【図面の簡単な説明】
【００２４】
【図１】本発明を実施した連結装置の連結前の側面図、
【図２】同連結装置により作業機を連結した作業姿勢状態の側面図、
【図３】連結装置を連結した状態の連結部の平面図、
【図４】本発明の連結装置を装着した作業機を上昇させた状態の側面図、
【図５】連結装置の別実施例を示した側面図、
【図６】従来のロータリ作業機を２点ヒッチ用装着装置に装着した側面図、
【図７】従来の連結装置で作業機を上昇させた場合の側面図
【符号の説明】
【００２５】
１  トラクタ後部
１０    昇降アーム
１１    リフトロッド
１１１  リフトアッパーピン
１１２  リフトロアピン
１２    Ｕ字金具
１３    固定ピン
１４    ＰＴＯ軸
２  連結枠
２０    連結ピン
２１    トップフック
２２    ロアフック
３  マストフレーム
３０    トップフックピン
３１    ロアフックピン
４  サポートロッド
４０    インナー軸
４０１  ストッパーピン
４１    アウターパイプ
４１１  長孔
５  マストロッドピン
６  作業機ロッドピン
７  作業機
７０    作業機フレーム
７１    作業機回動軸
７２    入力軸
７３    スタンド
７４    キャスター
７５    スタンドホルダー
７６    固定ピン
８  牽制アーム
７０１ホッパー
７０２スピンナー
９  連結装置
Ａ  ロータリ作業機
【図１】
2008079508.tif 000003
【図２】
2008079508.tif 000004
【図３】
2008079508.tif 000005
【図４】
2008079508.tif 000006
【図５】
2008079508.tif 000007
【図６】
2008079508.tif 000008
【図７】
2008079508.tif 000009